(57)【特許請求の範囲】
【請求項１】
内層から外層へ順次巻かれたコイル巻きで、このコイルの１巻きにつき２８０〜３８０度の捩じりを入れ、ワイヤ引き出し時にコイルが回転しないようにした溶接用ワイヤと、前記溶接用ワイヤをコイルの外周面と両側面を保持できる状態に収めた容器とを備え、コイルの内側から引き出し可能としたことを特徴とする溶接用ワイヤ装置。
【請求項２】
コイルの内径より小さい丸棒、円筒、多角形の棒もしくは多角形の筒の１本または複数本で構成された内筒をコイル内側に配置し、コイルと前記内筒の間を通して前記溶接用ワイヤを引き出し可能としたことを特徴とする請求項１記載の溶接用ワイヤ装置。
【請求項３】
前記容器の蓋のコイル内側上部に複数の羽根状の突起物を配置し、前記突起物の間を通して前記溶接用ワイヤを引き出し可能としたことを特徴とする請求項１または２記載の溶接用ワイヤ装置。
【請求項４】
前記容器の蓋のコイル内側上部に回転自在のワイヤ引き出し治具を設け、前記ワイヤ引き出し治具を通して前記溶接用ワイヤを引き出し可能としたことを特徴とする請求項１から３のいずれか１項に記載の溶接用ワイヤ装置。
【発明の詳細な説明】
【０００１】
【発明の属する技術分野】
この発明は、簡便に使用でき、環境問題を考慮した溶接用ワイヤ装置に関するものである。
【０００２】
【従来の技術】
図１７は従来例の樹脂スプール巻ワイヤの斜視図、図１８は従来例のペールパック入りワイヤの斜視図である。図１７および図１８において、１はコイル巻溶接用ワイヤ、１８は樹脂製スプール、１９はペールパック容器の外筒、２０はペールパック容器の内筒、２１は押え盤である。ペールパック巻きワイヤは、ペールパック容器にワイヤを落とし込んでいるものであり、容器は包装部材であるいえる。溶接用ワイヤは、約３０ｋｇまでの少量を包装する場合には、図１７に示すように樹脂製あるいは針金製のスプールに巻かれたもの、またワイヤ径が太い場合にはスプールの無いコイル状に巻かれたものがあり、約１００ｋｇ以上の大容量を包装する場合には、図１８に示すようにペールパック容器に１巻きにつき１捩じり入れた溶接用ワイヤ１を納めたものが一般的に使われている。また、海外においては、約１００ｋｇ以上の大容量を包装する場合にスプールに１巻きにつき１捩じり入れた溶接用ワイヤを巻き付けたものが使用されている。
【０００３】
【発明が解決しようとする課題】
しかしながら、スプール巻やペールパック入り溶接用ワイヤは、包装資材として、樹脂や紙を使用しており産業廃棄物なと環境問題の点で問題になりつつある。また、コイル巻は少量の包装のみであり、溶接用ワイヤを送る送給装置に設置する場合に専用のアダプタなどが必要となる。
【０００４】
したがって、この発明の目的は、コイル巻きを少量から大容量まで使用でき、環境保全を図ることができる溶接用ワイヤ装置を提供することである。
【０００７】
【課題を解決するための手段】
上記の目的を達成するために、請求項１記載の溶接用ワイヤ装置は、内層から外層へ順次巻かれたコイル巻きで、このコイルの１巻きにつき２８０〜３８０度の捩じりを入れ、ワイヤ引き出し時にコイルが回転しないようにした溶接用ワイヤと、溶接用ワイヤをコイルの外周面と両側面を保持できる状態に収めた容器とを備え、コイルの内側から引き出し可能とした。
【０００８】
このように、内層から外層へ順次巻かれたコイル巻きで、このコイルの１巻きにつき２８０〜３８０度の捩じりを入れ、ワイヤ引き出し時にコイルが回転しないようにした溶接用ワイヤを、コイルの外周面と両側面を保持できる容器に納め、内側から引き出し可能としたので、スプール、リール等の巻き枠がなく、巻き枠がないコイル巻きを少量から大容量まで使用できるため、包装資材を少なくすることができる。すなわち、溶接用ワイヤは内層から外層へ順次巻かれたもので、従来のペールパック巻きワイヤのように容器内に下から上へ落とし込んでいるものではない。また、容器としては外周面と両側面が保持できるものであれば良く、引き出し時にコイル自身が回転することがないため、簡便に使用することができる。
【０００９】
請求項２記載の溶接用ワイヤ装置は、請求項１記載の溶接用ワイヤ装置において、コイルの内径より小さい丸棒、円筒、多角形の棒もしくは多角形の筒の１本または複数本で構成された内筒をコイル内側に配置し、コイルと内筒の間を通して溶接用ワイヤを引き出し可能とした。
【００１０】
このように、請求項１記載の溶接用ワイヤ装置において、コイルの内径より小さい丸棒、円筒、多角形の棒もしくは多角形の筒の１本または複数本で構成された内筒をコイル内側に配置し、コイルと内筒の間を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。
【００１１】
請求項３記載の溶接用ワイヤ装置は、請求項１または２記載の溶接用ワイヤ装置において、容器の蓋のコイル内側上部に複数の羽根状の突起物を配置し、突起物の間を通して溶接用ワイヤを引き出し可能とした。
【００１２】
このように、請求項１または２記載の溶接用ワイヤ装置において、容器の蓋のコイル内側上部に複数の羽根状の突起物を配置し、突起物の間を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。また、ワイヤを引き出す際に次の１ターンが緩むことはない。
【００１５】
請求項４記載の溶接用ワイヤ装置は、請求項１から３のいずれか１項に記載の溶接用ワイヤ装置において、容器の蓋のコイル内側上部に回転自在のワイヤ引き出し治具を設け、ワイヤ引き出し治具を通して溶接用ワイヤを引き出し可能とした。
【００１６】
このように、請求項１から３のいずれか１項に記載の溶接用ワイヤ装置において、容器の蓋のコイル内側上部に回転自在のワイヤ引き出し治具を設け、ワイヤ引き出し治具を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。また、ワイヤを引き出す際に次の１ターンが緩むことはない。
【００２５】
【発明の実施の形態】
この発明の第１の実施の形態を図１〜図３に基づいて説明する。図１はこの発明の第１の実施の形態の容器に溶接用ワイヤを納めた状態の断面図、図２はこの発明の実施の形態のコイル巻溶接用ワイヤの斜視図、図３はこの発明の実施の形態のコイル巻溶接用ワイヤを結束バンドでくくった斜視図である。
【００２６】
図２および図３に示すように、溶接用ワイヤが内層から外層へ順次巻かれたコイル巻溶接用ワイヤ（以下、コイル巻きワイヤという）１を有し、このコイルの１巻きにつき溶接用ワイヤに２８０〜３８０度の捩じりを入れ、結束バンド２でくくっている。また、図１に示すように、コイルの外周面と両側面を保持できる容器４に溶接用ワイヤを納め、コイルが回転することなく内側から溶接用ワイヤ３を引き出し可能とした。この場合、コイル巻きワイヤ１を木製で底のある円筒状の容器４に入れた後、木製でドーナツ状の蓋５をボルト６で固定し、ワイヤ３を内側から取り出し、ドーナツ状蓋５の中を通して引き出し試験を行った。容器４は内径５５０ｍｍ、内高さ４７０ｍｍ、蓋５は外径６５０ｍｍ、内径４００ｍｍとした。またこの際に使用した溶接用ワイヤを表１に、ワイヤ引き出し条件を表２に示す。
【００２７】
【表１】
0004197080.tif 000002
【００２８】
【表２】
0004197080.tif 000003
【００２９】
ワイヤは、引っ掛かりによる途切れが無く、引き出し性は「良」であった。ただし、ワイヤは時々次の１ターンが緩むことがあった。なお、表１および表２は実施の形態に使用したものであって、この条件に限定するものではない。また、容器４などの形状も上記実施の形態に限定しないのは勿論のことである。さらに、容器４などへのコイル巻きワイヤ１のセッティングは、使用者、製造者など何処で行ってもよい。
【００３０】
以上のようにこの実施の形態によれば、スプール、リール等の巻き枠がなく、巻き枠がないコイル巻きを少量から大容量まで使用できるため、包装資材を少なくすることができる。また、容器としては外周面と両側面が保持できるものであれば良く、引き出し時にコイル自身が回転することがないため、簡便に使用することができる。
【００３１】
この発明の第２の実施の形態を図４に基づいて説明する。図４はこの発明の第２の実施の形態の容器に溶接用ワイヤを納めた状態の断面図である。図４に示すように、コイル巻きワイヤ１を底の外径が蓋５の外径と同じ６５０ｍｍである木製の底のある円筒状の容器４に入れた後、木製でドーナツ状の蓋５をボルト６で固定し、横に倒した状態でワイヤ３を内側から取り出し、ドーナツ状蓋５の中を通して第１の実施の形態と同様に引き出し試験を行った。
【００３２】
この実施の形態でもワイヤは、引っ掛かりによる途切れが無く、引き出し性は「良」であった。ただし、ワイヤは時々次の１ターンが緩むことがあった。その他の構成効果は、第１の実施の形態と同様である。
【００３３】
この発明の第３の実施の形態を図５に基づいて説明する。図５はこの発明の第２の実施の形態の容器に溶接用ワイヤを納めた状態の分解斜視図である。図５に示すように、鋼の棒の溶接構造で作った容器８に底板９を乗せた後、コイル巻きワイヤ７を入れ、鋼の棒の溶接構造で作ったドーナツ状の蓋１０を固定し、ワイヤを内側から取り出し、ドーナツ状蓋５の中を通して引き出し試験を行った。容器８は内径５５０ｍｍ、内高さ４８０ｍｍ、底板９は厚さ１０ｍｍ、外径５５０ｍｍ、蓋１０は内径３８０ｍｍとした。
【００３４】
この実施の形態でもワイヤは、引っ掛かりによる途切れが無く、引き出し性は「良」であった。ただし、ワイヤは時々次の１ターンが緩むことがあった。その他の構成効果は、第１の実施の形態と同様である。
【００３５】
この発明の第４の実施の形態を図６に基づいて説明する。図６はこの発明の第４の実施の形態の容器に溶接用ワイヤを納めた状態の断面図である。図６に示すように、コイルの外周面と両側面を保持できる容器４に溶接用ワイヤを納め、コイルの内径より小さい丸棒、円筒、多角形の棒もしくは多角形の筒の１本または複数本で構成された内筒１１をコイル内側に配置し、コイルが回転することなく内側からコイルと内筒１１の間を通して溶接用ワイヤ３を引き出し可能とした。この場合、コイル巻きワイヤ１を木製で底と内筒１１のある円筒状の容器４に入れた後、木製でドーナツ状の蓋５をボルト６で固定し、ワイヤ３を内側から取り出し、ドーナツ状蓋５の中を通して引き出し試験を行った。内筒１１は外径２５０ｍｍ、高さ５００ｍｍ、容器４は内径５５０ｍｍ、内高さ４７０ｍｍ、蓋５は外径６５０ｍｍ、内径４００ｍｍとした。
【００３６】
この実施の形態でもワイヤは、引っ掛かりによる途切れが無く、引き出し性は「良」であった。溶接用ワイヤの巻いた状態が通常であれば、内筒は必要ではないが、巻取り中に何らかのトラブルが生じた場合、複数ターンのワイヤがコイル内側の空間に引き出され、絡み合いワイヤの引き出しを阻害することがあるが、内筒によりワイヤが絡み合うことを防ぐことができる。ただし、ワイヤは時々次の１ターンが緩むことがあった。その他の構成効果は、第１の実施の形態と同様である。
【００３７】
この発明の第５の実施の形態を図７に基づいて説明する。図７はこの発明の第５の実施の形態の容器に溶接用ワイヤを納めた状態の断面図である。図７に示すように、コイル巻きワイヤ１を木製で底と４本の内筒１２のある円筒状の容器４に入れた後、木製でドーナツ状の蓋５をボルト６で固定し、ワイヤ３を内側から取り出し、ドーナツ状蓋５の中を通して引き出し試験を行った。内筒１１は外径８０ｍｍ、高さ４５０ｍｍ、容器４は内径５５０ｍｍ、内高さ４７０ｍｍ、蓋５は外径６５０ｍｍ、内径４００ｍｍとした。
【００３８】
この実施の形態でもワイヤは、引っ掛かりによる途切れが無く、引き出し性は「良」であった。ただし、ワイヤは時々次の１ターンが緩むことがあった。その他の構成効果は、第４の実施の形態と同様である。
【００３９】
この発明の第６の実施の形態を図８および図９に基づいて説明する。図８はこの発明の第６の実施の形態の容器の平面図、図９はこの発明の第６の実施の形態の容器に溶接用ワイヤを納めた状態の断面図である。図８および図９に示すように、コイルの外周面と両側面を保持できる容器４に溶接用ワイヤを納め、容器４の蓋のコイル内側上部に複数の羽根状の突起物を配置し、コイルが回転することなく内側から突起物の間を通して溶接用ワイヤ３を引き出し可能とした。この場合、コイル巻きワイヤ１を木製で底のある円筒状の容器４に入れた後、木製でドーナツ状の蓋５と樹脂製の羽根１４のついたドーナツ状円盤１３をボルト６で固定し、ワイヤ３を内側から取り出し、ドーナツ状蓋５の中を通して引き出し試験を行った。容器４は内径５５０ｍｍ、内高さ４８０ｍｍ、蓋５は外径６５０ｍｍ、内径４００ｍｍ、羽根１４は厚み１ｍｍ、幅２０ｍｍ、露出部長さ１５０ｍｍ、円盤１３は厚さ３０ｍｍ、外径６５０ｍｍ、内径５００ｍｍとした。
【００４０】
この実施の形態ではワイヤは、引っ掛かりによる途切れが無く、引き出し性は「良」であった。ワイヤは次の１ターンが緩むことがなかった。ワイヤ送給が一定速度であって、コイルからワイヤが離脱する速度が不均一である場合、すなわち、相当量余分にコイルからワイヤを離脱させたとき、次の１ターンが緩む。ワイヤは、羽根に順番（巻取方向によって、時計回転方向あるいは反時計回転方向）接しながら引き出される。ワイヤが順次羽根に接することにより、羽根から出たワイヤに適度な張力が働き、マクロ的に見ると同一速度でワイヤがコイルから離脱するため、次の１ターンが緩むことがない。その他の構成効果は、第１の実施の形態と同様である。
【００４１】
この発明の第７の実施の形態を図１０に基づいて説明する。図１０はこの発明の第７の実施の形態の容器に溶接用ワイヤを納めた状態の断面図である。図１０に示すように、コイルの内径より小さい丸棒、円筒、多角形の棒もしくは多角形の筒の１本または複数本で構成された内筒１１をコイル内側に配置し、容器４の蓋のコイル内側上部に複数の羽根状の突起物を配置し、コイルが回転することなく内側からコイルと内筒１１の間、および突起物の間を通して溶接用ワイヤ３を引き出し可能とした。この場合、コイル巻きワイヤ１を木製で底と内筒１１のある円筒状の容器４に入れた後、木製でドーナツ状の蓋５と樹脂製の羽根１４のついたドーナツ状円盤１３をボルト６で固定し、ワイヤ３を内側から取り出し、ドーナツ状蓋５の中を通して引き出し試験を行った。内筒１１は外径２００ｍｍ、高さ４５０ｍｍ、容器４は内径５５０ｍｍ、内高さ４７０ｍｍ、蓋５は外径６５０ｍｍ、内径４００ｍｍ、羽根１４は厚み１ｍｍ、幅２０ｍｍ、露出部長さ１５０ｍｍ、円盤１３は厚さ３０ｍｍ、外径６５０ｍｍ、内径５００ｍｍとした。
【００４２】
この実施の形態でもワイヤは、引っ掛かりによる途切れが無く、引き出し性は「良」であった。ワイヤは次の１ターンが緩むことがなかった。その他の構成効果は、第１の実施の形態と同様である。
【００４３】
この発明の第８の実施の形態を図１１および図１２に基づいて説明する。図１１はこの発明の第８の実施の形態の容器の平面図、図１２はこの発明の第８の実施の形態の容器に溶接用ワイヤを納めた状態の断面図である。図１１および図１２に示すように、コイルの外周面と両側面を保持できる容器４に溶接用ワイヤを納め、容器４の蓋のコイル内側上部に回転自在のワイヤ引き出し治具１６を設け、コイルが回転することなく内側からワイヤ引き出し治具１６を通して溶接用ワイヤ３を引き出し可能とした。この場合、コイル巻きワイヤ１を木製で底のある円筒状の容器４に入れた後、木製でドーナツ状の蓋５をボルト６で固定し、鋼の棒製の回転自在の引き出し口１５のついた治具１６を取り付け、ワイヤ３を内側から取り出し、ドーナツ状蓋５の中と引き出し口１５を通して引き出し試験を行った。容器４は内径５５０ｍｍ、内高さ４７０ｍｍ、蓋５は外径６５０ｍｍ、内径４００ｍｍとした。
【００４４】
この実施の形態でもワイヤは、引っ掛かりによる途切れが無く、引き出し性は「良」であった。ワイヤは次の１ターンが緩むことがなかった。この場合、回転式の引出治具を用いることにより、回転の抵抗力（場合によっては回転が一定となる調整が必要）により回転式の引出治具から出たワイヤに適度な張力が働き、ほぼ同一速度でワイヤがコイルから離脱するため、次の１ターンが緩むことがない。その他の構成効果は、第１の実施の形態と同様である。
【００４５】
この発明の第９の実施の形態を図１３に基づいて説明する。図１３はこの発明の第９の実施の形態の容器に溶接用ワイヤを納めた状態の断面図である。図１３に示すように、コイルの外周面と両側面を保持できる容器４に溶接用ワイヤを納め、コイルの内径より小さい丸棒、円筒、多角形の棒もしくは多角形の筒の１本または複数本で構成された内筒１１をコイル内側に配置し、容器４の蓋のコイル内側上部に回転自在のワイヤ引き出し治具１６を設け、コイルが回転することなく内側からコイルと内筒１１の間、およびワイヤ引き出し治具１６を通して溶接用ワイヤ３を引き出し可能とした。この場合、コイル巻きワイヤ１を木製で底と内筒１１のある円筒状の容器４に入れた後、木製でドーナツ状の蓋５をボルト６で固定し、鋼の棒製の回転自在の引き出し口１５のついた治具１６を取り付け、ワイヤ３を内側から取り出し、ドーナツ状蓋５の中と引き出し口１５を通して引き出し試験を行った。内筒１１は外径３００ｍｍ、高さ４７０ｍｍ、容器４は内径５５０ｍｍ、内高さ４７０ｍｍ、蓋５は外径６５０ｍｍ、内径４００ｍｍとした。
【００４６】
この実施の形態でもワイヤは、引っ掛かりによる途切れが無く、引き出し性は「良」であった。ワイヤは次の１ターンが緩むことがなかった。その他の構成効果は、第１の実施の形態と同様である。
【００４７】
この発明の第１０の実施の形態を図１４に基づいて説明する。図１４はこの発明の第１０の実施の形態の容器に溶接用ワイヤを納めた状態の断面図である。図１４に示すように、コイルの外周面と両側面を保持できる容器４に溶接用ワイヤを納め、容器４の蓋のコイル内側上部に複数の羽根状の突起物と回転自在のワイヤ引き出し治具１６とを設け、コイルが回転することなく内側から突起物の間、およびワイヤ引き出し治具１６を通して溶接用ワイヤ３を引き出し可能とした。この場合、コイル巻きワイヤ１を木製で底のある円筒状の容器４に入れた後、木製でドーナツ状の蓋５と樹脂製の羽根１４のついたドーナツ状円盤１３とをボルト６で固定し、鋼の棒製の回転自在の引き出し口１５のついた治具１６を取り付け、ワイヤ３を内側から取り出し、ドーナツ状蓋５の中と引き出し口１５を通して引き出し試験を行った。容器４は内径５５０ｍｍ、内高さ４７０ｍｍ、蓋５は外径６５０ｍｍ、内径４００ｍｍ、羽根１４は厚み１ｍｍ、幅２０ｍｍ、露出部長さ１５０ｍｍ、円盤１３は厚さ３０ｍｍ、外径６５０ｍｍ、内径５００ｍｍとした。
【００４８】
この実施の形態でもワイヤは、引っ掛かりによる途切れが無く、引き出し性は「良」であった。ワイヤは次の１ターンが緩むことがなかった。その他の構成効果は、第１の実施の形態と同様である。
【００４９】
この発明の第１１の実施の形態を図１５に基づいて説明する。図１５はこの発明の第１１の実施の形態の容器に溶接用ワイヤを納めた状態の断面図である。図１５に示すように、コイルの外周面と両側面を保持できる容器４に溶接用ワイヤを納め、コイルの内径より小さい丸棒、円筒、多角形の棒もしくは多角形の筒の１本または複数本で構成された内筒１１をコイル内側に配置し、容器４の蓋のコイル内側上部に複数の羽根状の突起物と回転自在のワイヤ引き出し治具１６とを設け、コイルが回転することなく内側からコイルと内筒１１の間、突起物の間、およびワイヤ引き出し治具１６を通して溶接用ワイヤ３を引き出し可能とした。この場合、コイル巻きワイヤ１を木製で底と内筒１１のある円筒状の容器４に入れた後、木製でドーナツ状の蓋５と樹脂製の羽根１４のついたドーナツ状円盤１３とをボルト６で固定し、鋼の棒製の回転自在の引き出し口１５のついた治具１６を取り付け、ワイヤ３を内側から取り出し、ドーナツ状蓋５の中と引き出し口１５を通して引き出し試験を行った。内筒１１は外径２５０ｍｍ、高さ４００ｍｍ、容器４は内径５５０ｍｍ、内高さ４７０ｍｍ、蓋５は外径６５０ｍｍ、内径４００ｍｍ、羽根１４は厚み１ｍｍ、幅２０ｍｍ、露出部長さ１５０ｍｍ、円盤１３は厚さ３０ｍｍ、外径６５０ｍｍ、内径５００ｍｍとした。
【００５０】
この実施の形態でもワイヤは、引っ掛かりによる途切れが無く、引き出し性は「良」であった。ワイヤは次の１ターンが緩むことがなかった。その他の構成効果は、第１の実施の形態と同様である。
【００５１】
この発明の第１２の実施の形態を図１６に基づいて説明する。図１６はこの発明の第１２の実施の形態の組立式リールに溶接用ワイヤを納めた状態の断面図である。図１６に示すように、コイルの内周面と両側面を保持できる容器に溶接用ワイヤを納め、コイルが回転することなく外側から溶接用ワイヤ３を引き出し可能とした。この場合、コイル巻きワイヤ１を木製の片端面のフランジが組立式になっている組立式リール１７に入れて引き出し試験を行った。組立式リール１７は、中芯径４００ｍｍ、内高さ４００ｍｍとした。
【００５２】
この実施の形態ではワイヤは、引っ掛かりによる途切れが無く、引き出し性は「良」であった。その他の構成効果は、第１の実施の形態と同様である。
【００５４】
【発明の効果】
この発明の請求項１記載の溶接用ワイヤ装置によれば、内層から外層へ順次巻かれたコイル巻きで、このコイルの１巻きにつき２８０〜３８０度の捩じりを入れ、ワイヤ引き出し時にコイルが回転しないようにした溶接用ワイヤを、コイルの外周面と両側面を保持できる容器に納め、内側から引き出し可能としたので、スプール、リール等の巻き枠がなく、巻き枠がないコイル巻きを少量から大容量まで使用できるため、包装資材を少なくすることができる。また、容器としては外周面と両側面が保持できるものであれば良く、引き出し時にコイル自身が回転することがないため、簡便に使用することができる。これにより、簡便かつ環境問題を考えた溶接用ワイヤ装置を提供することができる。
【００５５】
この発明の請求項２記載の溶接用ワイヤ装置によれば、請求項１記載の溶接用ワイヤ装置において、コイルの内径より小さい丸棒、円筒、多角形の棒もしくは多角形の筒の１本または複数本で構成された内筒をコイル内側に配置し、コイルと内筒の間を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。
【００５６】
この発明の請求項３記載の溶接用ワイヤ装置によれば、請求項１または２記載の溶接用ワイヤ装置において、容器の蓋のコイル内側上部に複数の羽根状の突起物を配置し、突起物の間を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。また、ワイヤを引き出す際に次の１ターンが緩むことはない。
【００５８】
この発明の請求項４記載の溶接用ワイヤ装置によれば、請求項１から３の何れか１項に記載の溶接用ワイヤ装置において、容器の蓋のコイル内側上部に回転自在のワイヤ引き出し治具を設け、ワイヤ引き出し治具を通して溶接用ワイヤを引き出し可能としたので、請求項１と同様に巻き枠がないコイル巻きを少量から大容量まで使用でき、包装資材を少なくすることができる。また、容器としては外周面と両側面が保持できるものであれば良く、引き出し時にコイル自身が回転することがないため、簡便に使用することができる。また、ワイヤを引き出す際に次の１ターンが緩むことはない。
【図面の簡単な説明】
【図１】この発明の第１の実施の形態の容器に溶接用ワイヤを納めた状態の断面図である。
【図２】この発明の実施の形態のコイル巻溶接用ワイヤの斜視図である。
【図３】この発明の実施の形態のコイル巻溶接用ワイヤを結束バンドでくくった斜視図である。
【図４】この発明の第２の実施の形態の容器に溶接用ワイヤを納めた状態の断面図である。
【図５】この発明の第３の実施の形態の容器に溶接用ワイヤを納めた状態の分解斜視図である。
【図６】この発明の第４の実施の形態の容器に溶接用ワイヤを納めた状態の断面図である。
【図７】この発明の第５の実施の形態の容器に溶接用ワイヤを納めた状態の断面図である。
【図８】この発明の第６の実施の形態の容器の平面図である。
【図９】この発明の第６の実施の形態の容器に溶接用ワイヤを納めた状態の断面図である。
【図１０】この発明の第７の実施の形態の容器の平面図である。
【図１１】この発明の第８の実施の形態の容器の平面図である。
【図１２】この発明の第８の実施の形態の容器に溶接用ワイヤを納めた状態の断面図である。
【図１３】この発明の第９の実施の形態の容器に溶接用ワイヤを納めた状態の断面図である。
【図１４】この発明の第１０の実施の形態の容器に溶接用ワイヤを納めた状態の断面図である。
【図１５】この発明の第１１の実施の形態の容器に溶接用ワイヤを納めた状態の断面図である。
【図１６】この発明の第１２の実施の形態の組立式リールに溶接用ワイヤを納めた状態の断面図である。
【図１７】従来例の樹脂スプール巻ワイヤの斜視図である。
【図１８】従来例のペールパック入りワイヤの斜視図である。
【符号の説明】
１  コイル巻溶接用ワイヤ
２  結束バンド
３  引き出しワイヤ
４  容器
５  蓋
６  ボルト
７  バンドで結束したコイル巻溶接用ワイヤ
８  容器
９  底板
１０  蓋
１１，１２  内筒
１３  ドーナツ状円盤
１４  羽根
１５  ワイヤ引き出し口
１６  ワイヤ引き出し治具
１７  組立式リール
１８  樹脂製スプール
１９  ペールパック容器の外筒
２０  ペールパック容器の内筒
２１  押え盤
【図１】
0004197080.tif 000004
【図２】
0004197080.tif 000005
【図３】
0004197080.tif 000006
【図４】
0004197080.tif 000007
【図５】
0004197080.tif 000008
【図６】
0004197080.tif 000009
【図７】
0004197080.tif 000010
【図８】
0004197080.tif 000011
【図９】
0004197080.tif 000012
【図１０】
0004197080.tif 000013
【図１１】
0004197080.tif 000014
【図１２】
0004197080.tif 000015
【図１３】
0004197080.tif 000016
【図１４】
0004197080.tif 000017
【図１５】
0004197080.tif 000018
【図１６】
0004197080.tif 000019
【図１７】
0004197080.tif 000020
【図１８】
0004197080.tif 000021